(57)【要約】【課題】カーテンと、水配管が取り付けれる支持部との干渉を抑制することができる農業用ハウスを提供する。【解決手段】ハウス本体２は、一対の側壁２１，２２と屋根２３とがＹ軸方向に延長された形状に構成される。第１の支持部６は、Ｙ軸方向に延長された形状に構成される。カーテン５は、第１の支持部６に支持され、Ｙ軸方向に沿って開閉するように構成される。第２の支持部１１３は、Ｙ軸方向に延長された形状に構成される。水配管１１１は、Ｙ軸方向に延長された管状に形成され、内部に流れる水を噴出させる吐出部１１１３を有する。取付部材１１４は、第２の支持部１１３に取り付けられる第１の取付部１１４１および、水配管１１１が取り付けられる第２の取付部１１４２を有する。【選択図】図１
2015112029.tif 000002
【特許請求の範囲】
【請求項１】
互いに対向する一対の側壁と一対の前記側壁の上端同士を繋ぐ屋根とが奥行方向に延長されたハウス本体と、
前記奥行方向に延長された第１の支持部と、
前記ハウス本体の内側に前記屋根に沿うように前記第１の支持部に支持され、前記奥行方向に沿って開閉するように構成されたカーテンと、
前記奥行方向に延長された第２の支持部と、
前記奥行方向に延長された管状に形成され、内部に流れる水を噴出させる吐出部を有する水配管と、
前記第２の支持部に取り付けられる第１の取付部および、前記水配管が取り付けられる第２の取付部を有する取付部材とを備える
ことを特徴とする農業用ハウス。
【請求項２】
前記取付部材は、前記第２の支持部に対する前記第１の取付部の前記奥行方向の位置と、前記水配管に対する前記第２の取付部に対する前記奥行方向の位置とのうち、少なくとも一方が可変である
ことを特徴とする請求項１記載の農業用ハウス。
【請求項３】
前記取付部材は、前記第１の取付部と前記第２の取付部との間の距離が可変である
ことを特徴とする請求項１または２記載の農業用ハウス。
【請求項４】
前記カーテンを開閉させる開閉装置を備え、
前記開閉装置は、
前記カーテンの前記奥行方向の一端である自由端に結合された紐体を巻き取ることにより、前記自由端を奥行方向に移動させる回転ドラムと、
前記回転ドラムと前記自由端との間で前記紐体が掛け回される第１滑車と、
前記回転ドラムと前記第１滑車との間で前記紐体が掛け回される第２滑車とを有し、
前記回転ドラムおよび前記第１滑車は前記屋根に沿って配置されており、
前記第２滑車は、前記回転ドラムおよび前記第１滑車の下方に配置されている
ことを特徴とする請求項１〜３のいずれか１項に記載の農業用ハウス。
【請求項５】
前記回転ドラムおよび前記第１滑車の下方には、前記第２滑車および前記紐体の周囲を囲むように柵が設けられており、
前記第２滑車は前記柵に固定されている
ことを特徴とする請求項４に記載の農業用ハウス。
【発明の詳細な説明】
【技術分野】
【０００１】
本発明は、農作物の栽培に用いられる農業用ハウスに関するものである。
【背景技術】
【０００２】
一般的に、この種の農業用ハウス（ビニールハウス）は、室内の気温、湿度等を維持して外界とは異なる農作物の栽培に適した環境を実現する（たとえば特許文献１参照）。特許文献１に記載の農業用ハウスは、ハウス内の温度、湿度を一定に保つために、開閉可能なカーテン（樹脂フィルム等）が設けられている。
【０００３】
また、農業用ハウス内には、散水を行うために水配管が設けられている。水配管には、内部に流れる水を噴出させる吐出部が適当な間隔で設けられている。また、農業用ハウスの幅方向両端を連結する水配管支持用のフレーム（支持部）が頭上に設けられており、このフレームは農業用ハウスの奥行方向に複数本並べられている。そして、水配管は、各フレームに取付けられることで、農業用ハウスの奥行方向に沿って設けられ、天井付近から水を噴出する。
【先行技術文献】
【特許文献】
【０００４】
【特許文献１】特開平８−７０７１０号公報
【発明の概要】
【発明が解決しようとする課題】
【０００５】
しかし、農業用ハウス内で立って作業するユーザの邪魔にならないよう、水配管支持用のフレームを例えばアーチ状に形成し、高さを確保する必要があった。そのため、カーテンが天井に沿って開閉する際に水配管支持用のフレームと干渉し、カーテンの移動を阻害するおそれがあった。
【０００６】
本発明は、上記事由に鑑みてなされたものであり、その目的は、カーテンと、水配管が取り付けれる支持部との干渉を抑制することができる農業用ハウスを提供することにある。
【課題を解決するための手段】
【０００７】
本発明の農業用ハウスは、互いに対向する一対の側壁と一対の前記側壁の上端同士を繋ぐ屋根とが奥行方向に延長されたハウス本体と、前記奥行方向に延長された第１の支持部と、前記ハウス本体の内側に前記屋根に沿うように前記第１の支持部に支持され、前記奥行方向に沿って開閉するように構成されたカーテンと、前記奥行方向に延長された第２の支持部と、前記奥行方向に延長された管状に形成され、内部に流れる水を噴出させる吐出部を有する水配管と、前記第２の支持部に取り付けられる第１の取付部および、前記水配管が取り付けられる第２の取付部を有する取付部材とを備えることを特徴とする。
【０００８】
この農業用ハウスにおいて、前記取付部材は、前記第２の支持部に対する前記第１の取付部の前記奥行方向の位置と、前記水配管に対する前記第２の取付部に対する前記奥行方向の位置とのうち、少なくとも一方が可変であることが好ましい。
【０００９】
この農業用ハウスにおいて、前記取付部材は、前記第１の取付部と前記第２の取付部との間の距離が可変であることが好ましい。
【００１０】
この農業用ハウスにおいて、前記カーテンを開閉させる開閉装置を備え、前記開閉装置は、前記カーテンの前記奥行方向の一端である自由端に結合された紐体を巻き取ることにより、前記自由端を奥行方向に移動させる回転ドラムと、前記回転ドラムと前記自由端との間で前記紐体が掛け回される第１滑車と、前記回転ドラムと前記第１滑車との間で前記紐体が掛け回される第２滑車とを有し、前記回転ドラムおよび前記第１滑車は前記屋根に沿って配置されており、前記第２滑車は、前記回転ドラムおよび前記第１滑車の下方に配置されていることが好ましい。
【００１１】
この農業用ハウスにおいて、前記回転ドラムおよび前記第１滑車の下方には、前記第２滑車および前記紐体の周囲を囲むように柵が設けられており、前記第２滑車は前記柵に固定されていることが好ましい。
【発明の効果】
【００１２】
以上説明したように、本発明では、奥行方向に延長された第２の支持部に、水配管が取付部材で取り付けられる。したがって、奥行方向に沿って開閉するカーテンと、第２の支持部との干渉を抑制することができるという効果がある。
【図面の簡単な説明】
【００１３】
【図１】実施形態の農業用ハウスの概略構成図である。（ａ）は正面図、（ｂ）は上面図である。
【図２】実施形態の農業用ハウスの概略構成を示す斜視図である。
【図３】実施形態の農業用ハウスにおけるカーテンの支持状態を示す図である。（ａ）は正面図、（ｂ）は側面図である。
【図４】実施形態の農業用ハウスにおける水配管の取付け状態を示す側面図である。
【図５】実施形態の農業用ハウスにおける別構成による水配管の取付け状態を示す側面図である。
【図６】実施形態の農業用ハウスにおける第２の支持部の取付け状態を示す側面図である。
【図７】実施形態の農業用ハウスにおける第２の支持部の取付け状態を示す一部拡大図である。
【図８】実施形態の農業用ハウスにおける開閉装置の概略構成図である。
【図９】実施形態の農業用ハウスにおける要部を示す正面図である。
【図１０】実施形態の農業用ハウスにおける折返機構の動作説明図である。
【発明を実施するための形態】
【００１４】
以下、本発明の実施の形態を図面に基づいて説明する。
【００１５】
（実施形態）
本実施形態の農業用ハウス１は、室内の気温、湿度等を維持して外界とは異なる農作物の栽培に適した環境を実現する。以下では、主として軟弱野菜（ほうれん草、小松菜等）の栽培に用いられる農業用ハウス１を例として説明するが、農業用ハウス１の用途を限定する趣旨ではない。
【００１６】
本実施形態の農業用ハウス１の概略構成図を図１（ａ）（ｂ），図２に示す。本実施形態の農業用ハウス１は、ハウス本体２と第１の支持部６とカーテン５と第２の支持部１１３と水配管１１１と取付部材１１４とを備える。なお、図２に示したＸ軸方向（農業用ハウス１の幅方向）、Ｙ軸方向（農業用ハウス１の奥行方向）、Ｚ軸方向（農業用ハウス１の高さ方向）を用いて説明する。
【００１７】
ハウス本体２は、互いに対向する一対の側壁２１，２２と、一対の側壁２１，２２の上端同士を繋ぐ屋根２３とがＹ軸方向（奥行方向）に延長された形状に構成される。第１の支持部６は、Ｙ軸方向に延長された形状に構成される。カーテン５は、ハウス本体２の内側に屋根２３に沿うように第１の支持部６に支持され、Ｙ軸方向に沿って開閉するように構成される。第２の支持部１１３は、Ｙ軸方向に延長された形状に構成される。水配管１１１は、Ｙ軸方向に延長された管状に形成され、内部に流れる水を噴出させる吐出部１１１３を有する。取付部材１１４は、第２の支持部１１３に取り付けられる第１の取付部１１４１および、水配管１１１が取り付けられる第２の取付部１１４２を有する。
【００１８】
以下に、本実施形態の農業用ハウス１について詳細に説明する。
【００１９】
ハウス本体２は、互いに対向する一対の側壁２１，２２と、一対の側壁２１，２２の上端同士を繋ぐ屋根２３とがＹ軸方向（奥行方向）に延長された形状に構成されている。また、図２の例では、ハウス本体２はＹ軸方向の両端部に妻壁２４を有している。この妻壁２４には一対の柱３３１が設けられており、一対の柱３３１間にハウス本体２内への人の出入りのための出入口２４２が設けられている。
【００２０】
具体的には、ハウス本体２は、アルミニウム等の金属製のフレーム（骨組）３と、透光性を有しフレーム３に保持される被覆材４とを備えている。被覆材４は、ハウス本体２の略全体を覆うように設けられている。被覆材４は、たとえば太陽光を殆ど遮らずに雨風を凌ぎ、且つハウス本体２内の保温、保湿を実現すべく透明なビニルシートやガラス製であってもよいし、通気性を考慮して部分的に網（防虫網など）で構成されていてもよい。
【００２１】
フレーム３は、アーチ状を成しＹ軸方向（奥行方向）に複数本並ぶアーチ部３１と、各々がＹ軸方向に延長され複数本のアーチ部３１を連結する複数本の連結部材３２とを有している。複数本のアーチ部３１の各々は、Ｚ軸方向（高さ方向）に沿う一対の壁片３１１，３１２と、これら一対の壁片３１１，３１２の上端同士を繋ぐ屋根片３１３とで構成されている。
【００２２】
つまり、Ｙ軸方向に並ぶ複数本の壁片３１１およびこれらの壁片３１１間に設けられた被覆材４が側壁２１を構成し、Ｙ軸方向に並ぶ複数本の壁片３１２およびこれらの壁片３１２間に設けられた被覆材４が側壁２２を構成する。また、Ｙ軸方向に並ぶ複数本の屋根片３１３およびこれらの屋根片３１３間に設けられた被覆材４が屋根２３を構成する。ここで、各アーチ部３１は、屋根片３１３がＸ軸方向（幅方向）の中央部ほど高くなるように上方に凸となる形、たとえば半円状や三角形状に形成される。そのため、屋根２３は、たとえば半円柱状や三角柱状に形成されることになる。
【００２３】
複数本の連結部材３２は、少なくともＹ軸方向に並ぶ複数本の壁片３１１の上端（屋根片３１３との連結点）同士を連結する肩部３２１と、Ｙ軸方向に並ぶ複数本の壁片３１２の上端（屋根片３１３との連結点）同士を連結する肩部３２２とを含んでいる。つまり、ハウス本体２の側壁２１，２２と屋根２３とは、肩部３２１，３２２によって区切られている。さらに、複数本の連結部材３２は、肩部３２１，３２２の他、Ｙ軸方向に並ぶ複数本の屋根片３１３の頂部同士を連結する棟部３２３を含んでいる。
【００２４】
また、ハウス本体２のフレーム３は、Ｙ軸方向の両端部に、Ｙ軸方向に直交する平面（図２のＸ−Ｚ平面）に沿って配置されており少なくとも屋根２３を支持する梁３３をさらに有している。梁３３は、Ｙ軸方向の両端に位置する各アーチ部３１の内側に設けられている。つまり、Ｙ軸方向の両端の各アーチ部３１および梁３３と、これら各アーチ部３１の内側に設けられた被覆材４とが妻壁２４を構成する。
【００２５】
ハウス本体２のＹ軸方向の両端に位置する各妻壁２４にはファン２４１が設けられている。ファン２４１は、妻壁２４におけるＸ軸方向の中央部であって、且つ上端部の近傍に設けられ、梁３３に支持されている。したがって、この農業用ハウス１は、ファン２４１を作動（回転）させることでハウス本体２内に強制的に空気流が生じ、ハウス本体２の内部空間の換気（空気の入れ替え）を行うことができる。
【００２６】
ところで、本実施形態の農業用ハウス１においては、カーテン５は、上述したように構成されるハウス本体２の内側に屋根２３に沿って設けられている。このカーテン５は、Ｙ軸方向（奥行方向）に延長されている第１の支持部６（図１（ａ）（ｂ）参照）にて支持され、第１の支持部６に沿ってＹ軸方向に開閉するように構成されている。ここでは一例として、カーテン５は、遮光率が６５〜７５％程度の減光用のカーテンであって、全閉状態では屋根２３を通してハウス本体２内に照射する太陽光（日射）の一部を遮る機能を持つ。軟弱野菜などにおいては、ハウス本体２内に照射する光が強過ぎると光合成の効率が悪くなるが、農業用ハウス１は、このような減光用のカーテン５を有することで、ハウス本体２内への日射量を調節して農作物の栽培に適した環境を実現できる。
【００２７】
以下、カーテン５および第１の支持部６の具体的な構成について図１（ａ）（ｂ）および図３（ａ）（ｂ）を参照して説明する。
【００２８】
第１の支持部６は、ハウス本体２のＹ軸方向の両端間、つまり一対の妻壁２４間に張られた複数本の線状部材からなる。ここでいう線状部材はたとえばワイヤやロープなどである。本実施形態では、第１の支持部６は梁３３（図２参照）に固定されている。つまり、上述したようにハウス本体２のＹ軸方向の両端に位置する妻壁２４には少なくとも屋根２３を支持する梁３３が設けられているので、本実施形態の農業用ハウス１は、この梁３３を第１の支持部６の両端部を固定するための部材として兼用している。カーテン５は、第１の支持部６に吊り下げられる形で第１の支持部６にて支持される。
【００２９】
第１の支持部６は、一対の側壁２１，２２の対向方向であるＸ軸方向（幅方向）に３本以上並べて設けられている。本実施形態では、第１の支持部６は、各肩部３２１，３２２（図２参照）の近傍と、棟部３２３（図２参照）の近傍との各位置に１本ずつ設けられている。これら計３本の第１の支持部６はＸ軸方向（幅方向）に略等間隔で設けられている。ここで、これら複数本（本実施形態では３本）の第１の支持部６は、側壁２１（または側壁２２）から離れるほどカーテン５の高さが高くなるように、側壁２１（または側壁２２）からの距離に応じてカーテンを支持する高さが異なっている。言い換えれば、複数本の第１の支持部６は、図１（ｂ）に示すようにＸ軸方向の中央に近い第１の支持部６ほど高い位置に配置されており、これによりカーテン５はＸ軸方向の中央部が最も高くなるように屋根２３の形状に沿って支持される。
【００３０】
各第１の支持部６には、図３（ａ）（ｂ）に示すように、その長手方向（Ｙ軸方向）に並ぶように滑車７１が複数個ずつ取り付けられており、これらの滑車７１は、各々、第１の支持部６に沿って第１の支持部６上を移動自在に構成されている。そのため、同一の第１の支持部６上においてＹ軸方向に隣接する滑車７１間の間隔は変化する。各滑車７１には、各々カーテン５を保持するためのクランプ７２が吊り下げられる形で連結されている。
【００３１】
カーテン５は、たとえば合成樹脂性であって、開閉自在とするのに十分な可撓性を持つ。カーテン５は、各滑車７１に連結されたクランプ７２に各部が挟まれる形で保持され、Ｘ軸方向の複数箇所において各第１の支持部６に吊り下げられるようにして、複数本の第１の支持部６にて支持される。これにより、カーテン５のうちクランプ７２に保持された各部位は、滑車７１の移動に伴い第１の支持部６に沿ってＹ軸方向に移動する。ただし、カーテン５のＹ軸方向の一端部を保持するクランプ７２は、第１の支持部６の長手方向（Ｙ軸方向）の一端部から移動しないように、ハウス本体２のフレーム３（梁３３）に対して固定されている。
【００３２】
上記構成によれば、滑車７１が第１の支持部６に沿って第１の支持部６上を移動すると、滑車７１に連結されているクランプ７２はカーテン５と共にＹ軸方向に移動するので、結果的に、カーテン５が開閉する。つまり、カーテン５は、Ｙ軸方向の一端を固定端、他端を自由端として、固定端を定位置に固定しつつ、滑車７１の移動を伴って自由端をＹ軸方向に移動させることで、第１の支持部６に沿ってＹ軸方向に開閉する。そのため、カーテン５は、自由端が固定端に最も近づいた状態で全開状態となり、自由端が固定端から最も離れた状態で全閉状態となる。なお、全閉状態にあるカーテン５は、ハウス本体２における屋根２３の略全域を覆うことになる。
【００３３】
さらに、この構成において、カーテン５を支持する複数本の第１の支持部６には同数の滑車７１が取り付けられており、且つ、カーテン５が全閉状態にあるとき、これら複数本の第１の支持部６に支持されたクランプ７２はＸ軸方向に沿った同一直線上に位置する。言い換えれば、カーテン５は、異なる第１の支持部６に吊り下げられた複数個のクランプ７２にてＹ軸方向の同一位置が保持される形で、第１の支持部６に支持される。したがって、カーテン５は、全閉状態から全開状態になる際、Ｙ軸方向においてクランプ７２にて保持された部位の間が垂れ下がるようにして折り畳まれる。つまり、全開状態にあるカーテン５は、クランプ７２にて保持された部位で山折りとなるように折り畳まれることになる。
【００３４】
ところで、本実施形態の農業用ハウス１は、図２に示すように散水を行うための散水装置１１をさらに備えている。
【００３５】
散水装置１１は、内部に水が流れる水配管１１１と、水配管１１１に水を供給（給水）するタンク１１２とを有している。タンク１１２は、ハウス本体２内における妻壁２４付近に設置されており、上方に設置された水配管１１１の一端とタンク１１２とを連結する給水管１１２１を介して水配管１１１に給水する。また、本実施形態では、Ｙ軸方向に沿って設けられた水配管１１１がＸ軸方向に並べて配置されており、互いの水配管１１１の端部同士が図示しない接続管で接続されることで、タンク１１２から両方の水配管１１１に給水される。なお、接続管を省略し、水配管１１１ごとにタンク１１２が設けられる構成であってもよい。また、タンク１１２を省略し、例えばハウス本体２の内部または外部に設けられた水道設備（図示なし）を用いて水配管１１１に給水する構成であってもよい。
【００３６】
以下に、水配管１１１の取付けについて図４を用いて説明する。
【００３７】
図４に示すように、水配管１１１は、Ｙ軸方向に沿って設けられた直線形状からなる複数本のパイプ１１１１と、パイプ１１１１同士をＹ軸方向に連結する連結部材１１１２とで構成されている。連結部材１１１２は、Ｔ字状に形成されており、水配管１１１内部に流れる水をミスト状に噴出（噴霧）する吐出部１１１３を備える。この水配管１１１は、一対の妻壁２４間に張られたワイヤやロープなどの線状部材からなる第２の支持部１１３に、取付部材１１４を用いて取り付けられる。なお、第２の支持部１１３は、カーテン５よりも低い位置に張られている。取付部材１１４は、第２の支持部１１３に取り付けられる第１の取付部１１４１と、水配管１１１が取り付けられる第２の取付部１１４２とを有する。本実施形態の取付部材１１４は、第１の取付部１１４１と第２の取付部１１４２とが一体化した結束バンドで構成されており、水配管１１１と第２の支持部１１３とを一体に束ねる。すなわち、水配管１１１は、第２の取付部１１４２に吊り下げられる形で取付けられる。
【００３８】
このように、本実施形態では、水配管１１１は、Ｙ軸方向に張られた第２の支持部１１３に吊り下げられるように取り付けられる。したがって、従来、水配管を取り付けるために必要だった、農業用ハウスの幅方向に沿って設けれる複数の水配管支持用のフレームが不要となる。そして、第２の支持部１１３は、Ｙ軸方向に沿って設けられているので、Ｙ軸方向に移動するカーテン５への干渉が防止され、カーテン５の移動を阻害することが抑制される。また、複数本のフレームが不要となるので、材料費および施工費も削減することもできる。
【００３９】
また、本実施形態の取付部材１１４は、吐出部１１１３の近傍に設けられている。したがって、吐出部１１１３からの噴霧時に発生する圧力による水配管１１１の変動やブレが軽減され、第２の支持部１１３の緩みを小さくすることができる。
【００４０】
また、取付部材１１４は、第２の支持部１１３と水配管１１１とを強く締め付けておらず、第２の支持部１１３および水配管１１１に対してＹ軸方向に移動させることができる。さらに、取付部材１１４は、樹脂等の比較的柔らかい軟性材質で構成されている。これにより、熱による水配管１１１，取付部材１１４の伸縮や、第２の支持部１１３の緩みが発生した場合でも、水配管１１１，第２の支持部１１３，取付部材１１４へのストレスを軽減することができる。
【００４１】
次に、取付部材１１４の変形例を図５に示す。図５に示す取付部材１１４は、フック状に形成された第１の取付部１１４１と、丸孔状に形成された第２の取付部１１４２がＺ軸方向に３つ並んで設けられた板材１１４３とで構成される。フック状の第１の取付部１１４１は、第２の支持部１１３に引っ掛けられることで第２の支持部１１３に取り付けられ、下部には板材１１４３が取り付けられる。板材１１４３に形成された丸孔状の第２の取付部１１４２のいずれかには、水配管１１１が貫通することで水配管１１１が取付けられる。なお、第２の取付部１１４２を、一部が開口したＣ字状に形成していもよい。これにより、第２の取付部１１４２の開口近傍を撓ませることで、水配管１１１の取り外しを容易に行うことができる。
【００４２】
そして、３つの第２の取付部１１４２は、Ｚ軸方向に並んで設けられている。したがって、水配管１１１を取り付ける第２の取付部１１４２を変更することで、水配管１１１が取り付けられた第２の取付部１１４２と第１の取付部１１４１との間の距離を変動させることができる。すなわち、第２の支持部１１３と水配管１１１との間の距離を調整することができる。これにより、熱による水配管１１１，取付部材１１４の伸縮や、第２の支持部１１３に緩みが発生した場合でも、水配管１１１の高さ位置のばらつきを軽減することができる。なお、取付部材１１４を上述した結束バンドで構成する場合、締め付け具合を調整することでも、水配管１１１の高さ位置のばらつきを軽減することができる。
【００４３】
また、本変形例においても、取付部材１１４は、第２の支持部１１３および水配管１１１に対してＹ軸方向に移動自在に構成されている。したがって、熱による水配管１１１，取付部材１１４の伸縮や、第２の支持部１１３の緩みが発生した場合でも、水配管１１１，第２の支持部１１３，取付部材１１４へのストレスを軽減することができる。なお、取付部材１１４は、第２の支持部１１３に対する第１の取付部１１４１のＹ軸方向の位置と、水配管１１１に対する第２の取付部１１４２のＹ軸方向の位置とのうち、少なくとも一方が可変に構成されていれば、上記効果を得ることができる。
【００４４】
なお、取付部材１１４の形状は、上記に限定せず他の形状（例えば紐等）であってもよい。
【００４５】
また、第２の支持部１１３の端部は、妻壁２４に設けられた柱３３１に固定されている。具体的には、図６、７に示すように、第２の支持部１１３の端部は、柱３３１の上方に設けられたアイボルト３３２のリング部を介してターンバックル３３３の一端に固定されている。ターンバックル３３３の他端は、柱３３１の地面付近に設けられたアイボルト３３４に固定されている。したがって、ユーザは、ターンバックル３３３の胴体部を回転することによって、地面から近い位置で第２の支持部１１３のテンション（張力）を調整することができ、作業性が向上する。なお、アイボルト３３２，３３４の代わりにアイナットを用いてもよい。
【００４６】
また、本実施形態の農業用ハウス１は、ユーザがカーテン５の開閉を比較的容易に行えるように、滑車７１を移動させてカーテン５を開閉するための開閉装置９（図８参照）をさらに備えている。
【００４７】
開閉装置９は、図８に示すようにカーテン５のＹ軸方向の一端からなる自由端に結合された紐体９１と、紐体９１を巻き取る回転ドラム９２と、第１滑車９３と、第２滑車９４と、折返し滑車９５とを有している。ここでいう紐体９１は、たとえばロープやワイヤなどであり、その一部にカーテン５の自由端が結合されている。第１滑車９３には、回転ドラム９２とカーテン５の自由端との間で紐体９１が掛け回され、第２滑車９４には回転ドラム９２と第１滑車９３との間で紐体９１が掛け回される。
【００４８】
第１滑車９３と折返し滑車９５とは、ハウス本体２のＹ軸方向の両端部に固定された定滑車からなり、ハウス本体２の屋根２３に沿って、つまり屋根２３付近に配置されている。回転ドラム９２は、ハウス本体２の屋根２３に沿って配置されている。ここでは、回転ドラム９２は、Ｙ軸方向において第１滑車９３と折返し滑車９５との間の位置であって、第１滑車９３の近傍に配置されている。さらに、第１滑車９３と折返し滑車９５とは略同じ高さに配置されており、回転ドラム９２は、第１滑車９３および折返し滑車９５よりやや低い位置に配置されている。
【００４９】
第２滑車９４は、回転ドラム９２および第１滑車９３の下方に配置されている。ここでは、第２滑車９４は、地面（地表）付近の定位置に固定された定滑車からなり、回転ドラム９２の真下に配置されている。
【００５０】
本実施形態では、紐体９１は、両端が回転ドラム９２に保持された１本の紐体であるが、折返し滑車９５を折り返し点として折り返されているため、回転ドラム９２からは見かけ上、２本の紐体が引き出されている。以下では説明の便宜上、回転ドラム９２とカーテン５の自由端との間に架かった一方の紐体９１を第１の紐体９１１と呼び、他方の紐体９１を第２の紐体９１２と呼ぶ。つまり、回転ドラム９２からは第１の紐体９１１と第２の紐体９１２との２本の紐体９１が引き出されており、これら第１の紐体９１１と第２の紐体９１２とは、先端（回転ドラム９２と反対側の一端）同士が繋がっている。
【００５１】
ここで、第２の紐体９１２は、その先端が折返し滑車９５で折り返されて第１の紐体９１１に繋がっている。そのため、カーテン５の自由端は、第１の紐体９１１が巻き取られると折返し滑車９５から離れる向きに移動し、第２の紐体９１２が巻き取られると折返し滑車９５に近づく向きに移動する。
【００５２】
第１の紐体９１１および第２の紐体９１２は、いずれも回転ドラム９２とカーテン５の自由端との間で第１滑車９３に掛け回されており、さらに、回転ドラム９２と第１滑車９３との間で第２滑車９４に掛け回されている。言い換えれば、第１の紐体９１１および第２の紐体９１２は、いずれも回転ドラム９２から引き出された部分が第２滑車９４で一旦折り返された後、第１滑車９３を介してカーテン５の自由端に繋がっている。第１滑車９３および第２滑車９４は、それぞれ独立して回転する２個の滑車を有する２連滑車からなる。
【００５３】
回転ドラム９２は、回転軸方向において２区画に等分されており、一方の区画を第１の紐体９１１の巻き取りに使用し、他方の区画を第２の紐体９１２の巻き取りに使用する。ただし、第１の紐体９１１と第２の紐体９１２とでは巻き取りの向きが反対であって、回転ドラム９２が図８の矢印Ａ（実線）の向きに回転したときには第１の紐体９１１が巻き取られ、矢印Ｂ（点線）の向きに回転したときには第２の紐体９１２が巻き取られる。第１の紐体９１１と第２の紐体９１２とは先端同士が繋がっているので、第１の紐体９１１が巻き取られると第２の紐体９１２が回転ドラム９２から引き出され、第２の紐体９１２が巻き取られると第１の紐体９１１が回転ドラム９２から引き出されることになる。
【００５４】
これにより、開閉装置９は、回転ドラム９２を回転させることにより、紐体９１が移動して、カーテン５の自由端をＹ軸方向に移動させることができる。開閉装置９は、カーテン５を閉じるときには、回転ドラム９２を図８の矢印Ａ（実線）の向きに回転させ、第１の紐体９１１にてカーテン５の自由端を第１滑車９３側に手繰り寄せてカーテン５の自由端を固定端から離れる向きに移動させる。一方、開閉装置９は、カーテン５を開くときには、回転ドラム９２を図８の矢印Ｂ（点線）の向きに回転させ、第２の紐体９１２にてカーテン５の自由端を折返し滑車９５側に手繰り寄せてカーテン５の自由端を固定端に近づく向きに移動させる。
【００５５】
また、カーテン５は、Ｙ軸方向の各端部において、少なくともＸ軸方向の両端間を連結する芯材５１，５２（図１（ｂ）参照）を有しており、芯材５１が第１の支持部６に沿ってＹ軸方向に移動することにより開閉する。そのため、開閉装置９は、紐体９１と回転ドラム９２と第１滑車９３と第２滑車９４と折返し滑車９５との組み合わせを２組有しており、カーテン５の自由端に設けられた芯材５１の両端部に各組の紐体９１を結合している。つまり、開閉装置９は、両方の回転ドラム９２を回転させて両方の紐体９１を同時に移動させることにより、カーテン５の自由端に設けられた芯材５１のＸ軸方向の両端部を同時に移動させることができる。
【００５６】
このようにカーテン５をＸ軸方向の全域に亘り一斉に開閉する場合、開閉装置９は、２組の回転ドラム９２が同時に回転するように、回転ドラム９２同士がシャフト（図示せず）にて連結されていることが望ましい。これにより、開閉装置９は、一方の回転ドラム９２が回転すると、この回転力がシャフトを介して他方の回転ドラム９２に伝達され、両方の紐体９１が同時に移動するので、Ｘ軸方向においてカーテン５の開度のばらつきを抑制できる。
【００５７】
また、開閉装置９は、モータなどの駆動源（図示せず）を備え、駆動源の発生する駆動力により回転ドラム９２を回転させてカーテン５を開閉する構成でもよいし、ユーザが手動で回転ドラム９２を回転させてカーテン５を開閉する構成であってもよい。いずれの構成であっても、上述したように回転ドラム９２同士がシャフトで連結されている場合、開閉装置９は、一方の回転ドラム９２のみを回転させることでカーテン５を開閉できる。
【００５８】
以上説明した構成の農業用ハウス１によれば、屋根２３付近に配置されている回転ドラム９２および第１滑車９３の下方に配置された第２滑車９４によって、回転ドラム９２と第１滑車９３との間で紐体９１が折り返されることになる。したがって、農業用ハウス１は、回転ドラム９２および第１滑車９３の上方に空間的な余裕がなくても、回転ドラム９２および第１滑車９３の下方の空間を利用して回転ドラム９２から第２滑車９４までの距離を稼ぐことができる。つまり、農業用ハウス１は、ハウス本体２の高さを上げることなく、ハウス本体２内部の空間を有効利用して、回転ドラム９２から第２滑車９４までの距離を比較的大きく確保できる。回転ドラム９２は、第２滑車９４までの距離を大きくすることで、フリートアングルが小さくなって、紐体９１をきれいに巻き取ることができる。
【００５９】
さらにまた、本実施形態では、図８に示すように回転ドラム９２および第１滑車９３の下方には、第２滑車９４および紐体９１の周囲を囲むように柵９６が設けられており、第２滑車９４は柵９６に固定されている。柵９６は、Ｙ軸方向に直交する断面が略正方形状となる角筒形状であって、その内側における下端部に第２滑車９４を固定している。これにより、回転ドラム９２と第２滑車９４との間の紐体９１および第１滑車９３と第２滑車９４との間の紐体９１の周囲が柵９６で囲まれることになる。
【００６０】
なお、柵９６は、回転ドラム９２および第１滑車９３の下方において、紐体９１への巻き込みを防止するために設けられており、その各面はたとえばポリカーボネートのような透光性の部材で構成されていてもよいし、網などで構成されていてもよい。
【００６１】
農業用ハウス１は、このような柵９６が設けられていることにより、回転ドラム９２および第１滑車９３の下方に第２滑車９４を設けながらも、紐体９１への巻き込みを防止することができる。しかも、第２滑車９４は柵９６に固定されているので、第２滑車９４を固定するための部材を新たに設置する必要がない。さらに、第２滑車９４は柵９６への固定位置がＺ軸方向において調整されることにより、紐体９１にかかるテンション（張力）調整することも可能である。
【００６２】
さらにまた、本実施形態の農業用ハウス１は、各側壁２１，２２の内側に設けられた第１の側カーテン１３と、各側壁２１，２２の外側に設けられた第２の側カーテン１４とを備えている（図２参照）。ここでは一例として、第１の側カーテン１３はカーテン５と同じ素材からなり遮光（減光）性を有し、第２の側カーテン１４は透明である。第１の側カーテン１３と第２の側カーテン１４とは、いずれも上端部が肩部３２１，３２２の近傍に固定されており、Ｚ軸方向（高さ方向）に開閉自在に構成されている。
【００６３】
具体的には、第１および第２の側カーテン１３，１４は、その上端を固定端、下端を自由端として、地面からの自由端の高さ位置が変化することにより、Ｚ軸方向に開閉する。ここで、第１の側カーテン１３と第２の側カーテン１４とでは開閉のための構成は同一であるので、以下では、第１の側カーテン１３を例として、その詳しい構成について図９を参照して説明する。
【００６４】
側カーテン１３は、図９に示すように、下端部に棒状の芯材１３１を有している。ここで、側カーテン１３を開閉するための開閉装置１５は、各側壁２１，２２の上端部に固定された定滑車１５１と、定滑車１５１にて巻取可能な紐体１５２とを有している。ここでいう紐体１５２はたとえばロープやワイヤなどである。紐体１５２は、その一部に側カーテン１３の自由端が結合されている。さらに本実施形態では、側カーテン１３は、紐体１５２との結合部位のＺ軸方向の延長線上に、フック等の引掛具（図示せず）を複数個有しており、これらの引掛具に紐体１５２が挿通されている。
【００６５】
これにより、開閉装置１５は、定滑車１５１を回転させることにより、紐体１５２が移動して、側カーテン１３の自由端を芯材１３１ごとＺ軸方向に移動させることができる。開閉装置１５は、側カーテン１３を開くときには、芯材１３１が上昇するように紐体１５２を移動させ、側カーテン１３を閉じるときには、芯材１３１が下降するように紐体１５２を移動させる。
【００６６】
ここで、開閉装置１５は、定滑車１５１および紐体１５２の組み合わせを２組有しており、側カーテン１３の自由端に設けられた芯材１３１の両端部に各組の紐体１５２を結合している。そのため、開閉装置１５は、定滑車１５１を回転させて両方の紐体１５２を同時に移動させることにより、側カーテン１３の自由端に設けられた芯材１３１のＹ軸方向の両端部を同時に移動させることができる。これにより、側カーテン１３は、自由端がＹ軸方向の両端間に亘ってＺ軸方向に一斉に移動するので、Ｙ軸方向の全域に亘り一斉に開閉する。したがって、このような構成の農業用ハウス１によれば、側カーテン１３の自由端の位置をＹ軸方向の両端間に亘って揃えることができ、Ｙ軸方向において側カーテン１３の開度のばらつきを抑制できる。
【００６７】
また、このように側カーテン１３をＹ軸方向の全域に亘り一斉に開閉する場合、開閉装置１５は、２組の定滑車１５１が同時に回転するように、定滑車１５１同士がシャフト（図示せず）にて連結されていることが望ましい。これにより、開閉装置１５は、一方の定滑車１５１が回転すると、この回転力がシャフトを介して他方の定滑車１５１に伝達され、両方の紐体１５２が同時に移動するので、Ｙ軸方向において側カーテン１３の開度のばらつきを抑制できる。
【００６８】
また、開閉装置１５は、モータなどの駆動源（図示せず）を備え、駆動源の発生する駆動力により定滑車１５１を回転させて側カーテン１３を開閉する構成でもよいし、ユーザが手動で定滑車１５１を回転させて側カーテン１３を開閉する構成であってもよい。いずれの構成であっても、上述したように定滑車１５１同士がシャフトで連結されている場合、開閉装置１５は、一方の定滑車１５１のみを回転させることで側カーテン１３を開閉できる。
【００６９】
ここにおいて、上記構成の農業用ハウス１は、カーテン５と側カーテン１３との間に隙間があると、カーテン５および側カーテン１３が閉じているときでも、この隙間を通して太陽光がハウス本体２内に入射することがある。そこで、本実施形態の農業用ハウス１では、カーテン５は、図１０（ａ）に示すようにＸ軸方向の両端部から下方に垂れたフラップ部５３を有しており、このフラップ部５３にて側カーテン１３との隙間を狭めている。ただし、カーテン５は、開閉時にはＹ軸方向に移動するので、フラップ部５３が垂れ下がったままの状態で開閉すると、フラップ部５３が側カーテン１３やハウス本体２のフレーム３等に干渉する可能性がある。
【００７０】
そこで、本実施形態の農業用ハウス１のカーテン５は、Ｙ軸方向に移動する開閉時に、図１０（ｂ）に示すようにフラップ部５３を内側に折り返す折返機構（図示せず）を具備している。折返機構は、たとえば反転ばねを用いて構成され、フラップ部５３を下方に垂らした図１０（ａ）の定常状態と、フラップ部５３を内側に折り返した図１０（ｂ）の折返状態とを切替可能に構成されている。折返機構は、カーテン５の開閉時に自動的に定常状態から折返状態へと切り替わる構成でもよいし、ユーザが手動で定常状態と折返状態とを切り替える構成であってもよい。農業用ハウス１は、このような折返機構をカーテン５に有することにより、カーテン５の開閉時に側カーテン１３やハウス本体２のフレーム３等との干渉を防止することができる。
【００７１】
なお、側カーテン１３，１４においても、カーテン５と同様にＹ軸方向に開閉するように構成されていてもよい。
【符号の説明】
【００７２】
１  農業用ハウス
２  ハウス本体
５  カーテン
６  第１の支持部
２３  屋根
３３  梁
１１１  水配管
１１３  第２の支持部
１１４  取付部材
【図１】
2015112029.tif 000003
【図２】
2015112029.tif 000004
【図３】
2015112029.tif 000005
【図４】
2015112029.tif 000006
【図５】
2015112029.tif 000007
【図６】
2015112029.tif 000008
【図７】
2015112029.tif 000009
【図８】
2015112029.tif 000010
【図９】
2015112029.tif 000011
【図１０】
2015112029.tif 000012